(57)【要約】【課題】  試料由来の廃液を容器の外側に排出することなく、ロバストかつ簡便な方法で尿試料中の薬物濃度を定量できる方法を提供すること。【解決手段】  容器に目的とする成分を抽出できる部材(固相抽出剤、吸着材、分離剤、濃縮機構等)を持ち、容器内部および外部に導入口および排出口を持ち、それぞれの導入口および排出口を開閉するバルブを持つ容器であって、バルブ開閉機構と送液機構を持つ分析装置と一体化することにより、簡便に目的とする成分の抽出、脱離、検出が可能になる。【選択図】  図１
2012184976.tif 000002
【特許請求の範囲】
【請求項１】
試料分析装置であって、
試料を保持する保持容器と、前記試料に含まれる特定成分を分離して留める分離材と、前記試料を通し前記分離材を内部に保持する流路と、前記流路の端部として、前記試料を前記保持容器内から前記流路に導入する内部導入口と、前記流路に導入された前記試料を前記保持容器内に排出する内部排出口と、前記流路に前記保持容器外からガス又は溶液を導入する外部導入口と、前記流路を通った前記ガス又は溶液を前記保持容器外へ排出する外部排出口と、前記内部導入口、前記内部排出口、前記外部導入口、前記外部排出口のそれぞれの開閉をするバルブとを有する試料容器を設置させる試料容器保持部と、
前記外部導入口に接続され、ガス又は溶液を導入するガス又は溶液導入部と、
前記外部排出部に接続され、前記試料の分析を行う分析部と、
前記バルブに結合され、前記バルブの開閉を行うバルブ開閉機構と、
前記バルブ開閉機構の開閉制御を行う制御部とを有する試料分析装置。
【請求項２】
請求項１に記載の試料分析装置において、前記制御部は、前記試料に含まれる特定成分を前記分離材にて分離して留める分離ステップでは、前記内部導入口と前記内部排出口のバルブを開状態、前記外部導入口と前記外部排出口のバルブを閉状態にし、前記分離材に留められた特定成分を前記分析部において分析する分析ステップでは、前記内部導入口と前記内部排出口のバルブを閉状態、前記外部導入口と前記外部排出口のバルブを開状態に前記バルブを制御することを特徴とする試料分析装置。
【請求項３】
請求項２に記載の試料分析装置において、前記制御部は、前記分析ステップにおいて前記外部排出口のバルブの開閉を間欠的に制御することを特徴とする試料分析装置。
【請求項４】
請求項２に記載の試料分析装置において、前記分離ステップと前記分析ステップとの間に前記流路を洗浄する洗浄ステップを有し、前記制御部は、前記洗浄ステップにおいて前記内部導入口のバルブを閉状態に、前記外部導入口のバルブを開状態に制御することを特徴とする試料分析装置。
【請求項５】
請求項１に記載の試料分析装置において、設置される前記試料容器の前記流路内の試料を送液する送液手段を有することを特徴とする試料分析装置。
【請求項６】
請求項１に記載の試料分析装置において、設置される前記試料容器の前記分離材の温度を調節する温度調節部を有することを特徴とする試料分析装置。
【請求項７】
請求項６に記載の試料分析装置において、前記温度調節部は、前記分離材の温度を８０度から６００度の範囲で調節することを特徴とする試料分析装置。
【請求項８】
請求項１に記載の試料分析装置において、前記流路の温度を調節する温度調節部を有することを特徴とする試料分析装置。
【請求項９】
請求項１に記載の試料分析装置において、設置される前記保持容器の温度を調節する温度調節部を有することを特徴とする試料分析装置。
【請求項１０】
請求項９に記載の試料分析装置において、前記温度調節部は、前記試料の温度を−３０度から１００度までの範囲で調節することを特徴とする試料分析装置。
【請求項１１】
請求項１に記載の試料分析装置において、設置される前記試料容器の前記流路にプラズマを発生させるための電極に対し、交流電圧を印加するための交流電源を備えていることを特徴とする試料分析装置。
【請求項１２】
請求項１に記載の試料分析装置において、前記試料容器保持部は、前記流路が上部になるように前記試料容器を保持するものであり、前記内部導入口から前記試料の揮発成分を導入させることを特徴とする試料分析装置。
【請求項１３】
試料を保持する保持容器と、
前記試料に含まれる特定成分を分離して留める分離材と、
前記試料を通し前記分離材を内部に保持する流路と、
前記流路の端部として、前記試料を前記保持容器内から前記流路に導入する内部導入口と、前記流路に導入された前記試料を前記保持容器内に排出する内部排出口と、前記流路に前記保持容器外からガス又は溶液を導入する外部導入口と、前記流路を通った前記ガス又は溶液を前記保持容器外へ排出する外部排出口と、
前記内部導入口、前記内部排出口、前記外部導入口、前記外部排出口のそれぞれの開閉をするバルブとを有することを特徴とする試料容器。
【請求項１４】
請求項１３に記載の試料容器において、さらに前記保持容器の蓋を有し、前記流路と前記バルブとは前記蓋に設けられていることを特徴とする試料容器。
【請求項１５】
請求項１３に記載の試料容器において、前記流路と前記バルブとは、前記保持容器の底部又は側面の外側に設けられていることを特徴とする試料容器。
【請求項１６】
請求項１３に記載の試料容器において、前記バルブは閉じられた状態であることを特徴とする試料容器。
【請求項１７】
請求項１３に記載の試料容器において、前記流路には、電極を備え前記電極に対して印加される電圧によりプラズマを発生させるプラズマ発生領域を有することを特徴とする試料容器。
【請求項１８】
請求項１３に記載の試料容器において、前記流路内又は前記保持容器に内部標準を有することを特徴とする試料容器。
【請求項１９】
請求項１３に記載の試料容器において、前記流路内又は前記保持容器にｐＨ調整剤を有することを特徴とする試料容器。
【請求項２０】
請求項１３に記載の試料容器において、前記流路の少なくとも前記バルブ設置位置は弾性体で形成されており、前記バルブは圧力により前記流路を外部から変形させて開閉することを特徴とする試料容器。
【請求項２１】
請求項１３に記載の試料容器において、前記保持容器は、第１の容器と、前記第１の容器を内包する第２の容器と、前記第１，２の容器を覆う蓋からなり、前記第１の容器の側面は試料採取用の穴が設けられていることを特徴とする試料容器。
【発明の詳細な説明】
【技術分野】
【０００１】
本発明は、試料の分析装置及びそれに用いる試料容器に関する。
【背景技術】
【０００２】
尿に含まれる違法薬物、乱用薬物、毒性薬物、治療薬物などの検査を屋外で可能な装置が求められている。そのため、装置は、微量薬物を高感度で定量でき、簡便な取り扱いが可能であり、メンテナンス頻度が少ないなどの高ロバスト性を持ち、低コストで検査が可能である事などが望まれている。さらに、屋外で計測を行うために簡便に持ち運びが可能である要求もあり，小型かつ低重量な装置が望まれている。そのため、検出器だけでなく、尿を前処理するための送液機構、洗浄機構、廃液の処理機構などを簡便な機構で実現することが望ましい。
【０００３】
屋外での検査はイムノクロマト法、イオン移動度測定法などを基盤技術とした携帯可能な装置で一部実現されているが、定量可能な薬物の種類は、まだまだ少ない。屋内での検査は、尿中の微量薬物を固相抽出し、タンデム四重極型質量分析装置を用いた質量分析法で定量する手法が薬物定量の標準的な手法となりつつある。この手法を用いると多種の薬物が定量可能になり、さらに高選択かつ高感度で検査可能になる。
【０００４】
尿中の微量成分を抽出する抽出法には様々な種類がある。抽出法の一つとして、固相抽出法がある。固相抽出法にも様々な種類があり、例えば、抽出用の部材としてｐｏｌｙｄｉｍｅｔｈｙｌｓｉｌｏｘａｎｅ （ＰＤＭＳ）を使用し、抽出法としてインチューブＰＤＭＳ法を行う方法がある(非特許文献１)。これは、内側がＰＤＭＳでコートされた配管に尿を通液することにより目的とする薬剤を抽出する方法である。
【０００５】
また、試料の採取方法、採取容器にも様々な方法がある。試料採取容器としては汚染の可能性が低く、簡便な操作で目的とする成分を抽出できる容器がある(特許文献1)。これは、容器内側に抽出剤を備え、目的とする成分を抽出し、脱着させるものである。また、例えば、容器外部に導入口と排出口があり容器内部にフィルタがある容器もある(特許文献2)。これは、容器の外部から試料を導入できる導入口を持ち、夾雑物を容器内部のフィルタで除去した試料を容器外部の排出口を通り、分析部に送るものである。
【先行技術文献】
【特許文献】
【０００６】
【特許文献１】特開２０１０−８３８４
【特許文献２】特開平８−２７１３８５
【非特許文献】
【０００７】
【非特許文献１】Ａｎａｌ Ｂｉｏａｎａｌ Ｃｈｅｍ, ２００２, ３７３, ３１−４５
【発明の概要】
【発明が解決しようとする課題】
【０００８】
尿中の薬物濃度を屋外で測定可能な簡便な装置は、屋内での使用よりも過酷な環境であるためロバスト性の高い装置であることが必須である課題があった。さらに、汚染を最小限にするため、尿の入った容器から蓋を開ける、もしくは、尿に触れることなく、目的とする成分を取り出すことは困難であるという課題もあった。
【０００９】
非特許文献1に記載のインチューブ ＰＤＭＳ法では、液体クロマトグラフを用いて送液を行う。そのためには，液体クロマトグラムに尿を導入する機構が必要であり装置が複雑化してしまう。さらに、バルブの弁が流路内側にあるため、測定ごとにバルブの弁を洗浄する必要もあった。また、液体クロマトグラフに導入した試料はもとの容器に戻す機構がないため、最終的に、廃液が必ず生じてしまう課題があった。
【００１０】
特許文献１に記載の試料採取容器では、汚染の可能性を低く、蓋を開けることなく試料中から目的成分を抽出できるが、蓋にシリンジ等を刺して試料を出し入れする必要があり、汚染が生じる可能性があり、シリンジ等の洗浄機構が必要となる。
【００１１】
特許文献2に記載の試料貯蔵容器では、容器外部に導入口と排出口があり、容器内部にフィルタがあり、精製した成分のみ分析部に送ることができるが、廃液を処理する機構がないため、廃液が生じてしまう課題があった。また、容器自身の交換または容器中の試料交換が困難であるため、多数の検体検査に不向きであった。
【課題を解決するための手段】
【００１２】
上記の課題を解決するために、本発明は、容器に測定対象とする成分を抽出できる部材(固相抽出剤、吸着材、分離剤、濃縮機構等)を持ち、容器内部および外部に、それぞれ試料又は分析に必要なガス又は溶液等、あるいは溶液等の導入口および排出口を持ち、それぞれの導入口および排出口を開閉するバルブを持つ容器であって、バルブ開閉機構と送液機構を持つ分析装置に設置させることにより、簡便に目的とする成分の抽出、脱離、検出が可能になることを特徴としている。
【００１３】
すなわち、まず本発明の代表的な分析用の試料容器の一例としては、試料を保持する保持容器と、試料に含まれる特定成分を分離して留める分離材と、試料を通し分離材を内部に保持する流路と、流路の端部として、試料を保持容器内から流路に導入する内部導入口と、流路に導入された試料を保持容器内に排出する内部排出口と、流路に保持容器外からガス又は溶液を導入する外部導入口と、流路を通ったガス又は溶液を保持容器外へ排出する外部排出口と、内部導入口、内部排出口、外部導入口、外部排出口のそれぞれの開閉をするバルブとを有する。
【００１４】
そして、当該試料容器を設置させて分析する分析装置の代表的な構成の一例としては、上記の試料容器を設置させる試料容器保持部と、外部導入口に接続されガス又は溶液を導入するガス又は溶液導入部と、外部排出部に接続され試料の分析を行う分析部と、バルブに結合されバルブの開閉を行うバルブ開閉機構と、バルブ開閉機構の開閉制御を行う制御部とを有する。
【００１５】
分析装置側に設けられたバルブ開閉機構は、試料に接触することなくバルブを開閉できるため、分析装置が試料によって汚染されることがないため、装置の洗浄頻度が低くなり、ロバスト性が上がる。
【００１６】
また、試料容器内部にある導入口から試料を導入し、部材を通液し、試料容器内部にある排出口から試料を排出するため、試料容器の蓋を開けることなく成分を分離して留めるための部材に試料を通液できる。そのような機構であるため、分析装置および分析装置使用者が試料によって汚染されることが極めて少ない。さらに、試料容器内部にある排出口から試料を排出するため、排出された物質を貯蔵する新たな容器を必要としない。
【００１７】
試料容器外部にある導入口から加圧ガス又は溶液を導入して、試料容器外部にある排出口から部材から脱離させた成分だけを、それぞれの導入口および排出口についたバルブによって開閉することにより、分析装置に送ることができるため、分析装置の汚染は最小限で済み、装置の洗浄頻度が低くなりロバスト性があがる。
【００１８】
また、試料容器を分析装置に取り付けるだけで、分析可能な構成であるため、容器および試料の交換が容易である。
【発明の効果】
【００１９】
本発明によれば、試料由来の廃液を容器の外側に排出することなく、ロバストかつ簡便な方法で試料中の成分を分析することができる。
【図面の簡単な説明】
【００２０】
【図１】試料容器と分析装置の構成例を示す概略全体図
【図２】試料容器の例
【図３】バルブの開閉例
【図４】送液例
【図５】試料容器を分析装置に設置した時の構成例を示す概略全体図
【図６】試料容器を分析装置に設置した時の構成例を示す概略図
【図７】容器底面に部材を有する試料容器を分析装置に設置した時の構成例
【図８】容器側面に部材を有する試料容器を分析装置に設置した時の構成例
【図９】プラズマ発生領域を有する試料容器を分析装置に設置した時の構成例
【図１０】プラズマ発生領域を有する試料容器を分析装置に設置した時の構成例
【図１１】試料容器と分析装置に設置した時の構成例
【図１２】ヘッドスペース法を用いた構成例
【図１３】目的とする成分を溶液を用いて脱離する実施例の構成例
【発明を実施するための形態】
【００２１】
以下、図面を参照しながら、本発明を説明する。
【実施例１】
【００２２】
図１は試料採取容器と分析装置の構成例を示す概略全体図である。図１（Ａ）に示すように、本実施形態の試料容器１は蓋２と試料を保持する保持容器３を有する。この図では、試料４を保持容器３に事前に導入してある例を示している。試料４は、例えば、尿、唾液、痰、血漿、血清、全血、血球、汗、涙、母乳、毛髪、皮膚、爪、大便、培養細胞などの生体試料、培養微生物などの微生物、藻類、植物葉、茎、果実、花弁、種子などの植物、各種酒、発酵乳などの食品、海水、淡水、飲料水、工業用水などの水のいずれか、もしくは、これらの混合物などである。
【００２３】
蓋２には、容器に入れられた試料について、試料を通過させる流路と、流路内に試料中の成分を溜めておくための部材５を備え、その流路の端部として、試料容器内部の試料を部材に導入するための容器内側に設けられた導入口６、試料容器内部に試料を部材から排出するための容器内側に設けられた排出口７、部材にガス又は溶液を導入するための容器外側に設けられた導入口８、部材から脱離された成分を排出するための容器外側に設けられた排出口９があり、そして、導入口と排出口（６，７，８，９）の開閉を行うためのそれぞれのバルブを有する。バルブとしては、容器内側の導入口６の開閉を行うための内側バルブＩＮ１０と、容器内側の排出口７の開閉を行うための内側バルブＯＵＴ１３と、容器外側の導入口８の開閉を行うための外側バルブＩＮ１１と、容器外側の排出口９の開閉を行うための外側バルブＯＵＴ１２がある。部材５に繋がる全てのバルブが予め閉じられているようにすることで、部材が大気中に含まれる成分によって汚染されるのを防止することできる。
【００２４】
部材５は、測定対象の成分を試料から分離して留めておけるものであれば、特に制限されないものであり、測定対象成分に応じて最適な部材を選択することが望ましい。さらに、目的とする成分と共存する成分によって影響を受けにくい部材であることが望ましい。
【００２５】
部材５を構成する部材として、例えば、配管の内側をｐｏｌｙｄｉｍｅｔｈｙｌｓｉｌｏｘａｎｅ（ＰＤＭＳ）でコートした固相抽出剤を挙げることができる。固相抽出剤は、Ｃ１８、Ｃ８、Ｃ４、フェニル基、アミノ基、シアノ基などの化学結合型抽出剤、ポリスチレンジビニルベンゼン、ポリビニルアルコール、ポリヒドロキシメタアクリルレートなどのポリマー系抽出剤、ジオール基、グリセルプロピル基などのシリカ系抽出剤、第４級アンモニウム基、ジエチルアミノエチル基、アミノ基などの陰イオン交換基を持つ抽出剤、スルホ基、スルホプロピル基、カルボキシメチル基などの陽イオン交換基を持つ抽出剤、抗体、アプタマー、酵素などのタンパク質または核酸で構成される抽出剤、その他、シリカゲル、アルミナ、チタニア、カーボンによる抽出剤でもよい。
【００２６】
保持容器３は、試料内側の排出口７から出てきた廃液が試料４と混じらないように、区切られていてもよい。
【００２７】
図１（Ｂ）に示すように、本実施形態の分析装置１００は、装置側にあるバルブ開閉機構（図１（Ａ）の例では四ヶ所）１０１、試料採取容器を設置させ固定する試料採取容器フォルダー１０３、目的とする成分を検出する検出器１０４、加圧ガス部１０５、加圧ガス部１０５と容器外側の導入口８をつなぐ配管ＩＮ１０６、検出器１０４と容器外側の排出口９をつなぐ配管ＯＵＴ１０７、その他としては、装置側にあるヒーター１０８、分析装置の蓋１０９、分析装置を制御する分析装置の制御部１１０、検出器１０４によって検出された測定成分の定量値等を出力するための測定部１１１からなる。測定部１１１は、検出器による検出結果に対応した濃度を算出するためのデータや計算部、そして出力部を有している。また、流路内の試料が部材５に、より効率よく送られるように送液機構１０２があるとよい。
【００２８】
加圧ガスには空気を用いることができ、その他、窒素、ヘリウム、ネオン、アルゴンなどを用いてもよい。加圧ガスの代わりに圧縮していない大気圧の空気を用いてもよい。また、加圧ガス部１０５の代わりに、溶液タンク１１２を設け、流路に溶液を導入してもよい。
【実施例２】
【００２９】
続いて、試料が尿である場合に特に有用な容器とその採取方法を説明する。尿は紙コップなどを用いて採取したあとで、図１（Ａ）で示した試料採取容器１に分注してもよいが、図２で示した尿の採取容器を用いてもよい。また、試料は尿以外では、生体試料、微生物、植物、食品、水などのいずれか、もしくは、これらの混合物を用いることもできる。
【００３０】
図２で示す例では、試料採取容器１は内側容器２０と、当該内側容器を内包できる構成をした外側容器２６を用いている。まず、図２（Ａ）に示すように、内側容器２０を準備する。内側容器２０には、入口となる容器入口２１があり、そして、容器側面に穴が２箇所開いており、容器入口２１と繋がる穴Ａ２２と容器側面の例えば中心付近にある穴Ｂ２３がある。
【００３１】
次に、容器入口２１付近を持ちながら、穴Ｂ２３を目標として放尿された尿は、図２（Ｂ）で示したように、穴Ｂ２３の高さまで尿を採取でき、採取した尿２４が得られる。
【００３２】
図２（Ｃ）に、採尿した尿２４が入った内側容器２０を外側容器２６の中に入れ、蓋２５を閉めた構成図を示した。前記蓋２５は外側容器２６を閉めることができるようになっている。
【００３３】
図２（Ｄ）に、前記図２（Ｃ）で示した容器の上下を逆にすると、穴Ａ２２を通って内側容器２０と外側容器２６の間に尿が浸透されることを示ししている。穴Ａ２２は便宜のため内側容器２０と外側容器２６の間にも尿が浸透されるようにしたものであるが、蓋２５に設けられた導入口６から尿を導入できるような構成であればよい。穴Ａ２２を有することにより、蓋２５を閉めた容器を逆さまにした時に、尿が内側容器２０と外側容器２６の間に溜まって取り出せなくなってしまうことを防ぐことができる。
【００３４】
尿を採取した内側容器２０を外側容器２６の中に格納することにより、利用者や装置の汚染を減らすことができる。また、尿などの生体試料で汚染された物質を一箇所にまとめることができ、廃棄物質の拡散を最小限に抑えることができる。
【００３５】
図２で示した採尿方法に用いた試料採取容器１は、実施例１のように図１（Ｂ）に示す装置に適用することができる。その際、図１（Ａ）における蓋２と図２における蓋２５、図１における容器３と図２における内側・外側容器２０、２６は同義と考えればよい。
【実施例３】
【００３６】
バルブおよびその開閉の仕組みの一例を図３に示す。図３は流路方向に切った断面図で示した模式図である。導入口（容器内側の導入口６、容器外側の導入口８）または排出口（容器内側の排出口７、容器外側の排出口９）と部材５の間は配管３１で繋がっており、その間に、容器内側の導入口６の開閉をする内側バルブＩＮ１０と、容器内側の排出口７の開閉をする内側バルブＯＵＴ１３と、容器外側の導入口８の開閉をする外側バルブＩＮ１１と、容器外側の排出口９の開閉をする外側バルブＯＵＴ１２とがある。この例では、配管を変形させて流れを制御することにより、バルブの弁が試料に接触することなく流路を開閉できる。ここでは、バルブの構造にばね等の弾性体を用いた例を示しているが、バルブの外部から積極的にエネルギーを加え続けることなく閉まった状態を保てるバルブであれば、試料採取や装置での分析等に応じた流路内の試料の制御を簡便に行うことができる。
【００３７】
図３（Ａ）に示すように、試料採取容器単独では、容器側のバルブ付流路３０は、ばね３２に押された弁３３により配管３１の流路が狭められ、閉まった状態である。弁３３を引っ張ることにより容器側のバルブ付流路３０を開けることができるが、ここでは、引っ張られていない状態を示している。図３（Ａ）の下に示すのは装置側に設けられたバルブ開閉機構３４であり、装置に試料採取容器が設置された後に、弁３３が引っ張られて配管３１を開通させる機構となっている。
【００３８】
図３（Ｂ）は、分析装置１００の試料採取容器フォルダー１０３に試料採取容器１を据え付けたときのバルブの状態を示している。このとき、弁３３と装置側のバルブ開閉機構３４は結合されているが、弁３３は引っ張られてないため、流路は閉まった状態である。
【００３９】
図３（Ｃ）に示すように、装置側のバルブ開閉機構３４により弁３３は引っ張られると、配管３１の流路の変形はもとに戻り、開いた状態になる。
【００４０】
このような機構において、少なくともバルブの開閉機構に携わる箇所の配管３１の材質としては、元に戻りやすいようゴムのような弾性体で作られてもよいし、弾性のあるプラスチックやシリコーンで作られていてもよい。
【実施例４】
【００４１】
部材５の上流または下流の配管そのものに外側から力を加え、配管が変形した力を利用して送液のための駆動力を生み出すことにより、送液機構が試料に接触することなく送液を行う例を示す。その一例として、図４の流路方向に切った断面図で示す模式図を用いて説明する。
【００４２】
図４（Ａ）の上に示すのは、容器側にある配管３１には何も力がかかっていなく、流れのない状態である。そして、図４（Ａ）の下に示すのは、装置に設けられた配管に沿って回転するような回転体等を有する送液機構１０２である。この例では、試料採取容器単独では流れが無い状態であり、送液するためには、装置側の送液機構１０２と接触する必要がある。
【００４３】
送液機構の一例として、流路そのものに外側から力を加えて送液を行う原理のペリスタポンプを用いて例示する。配管３１は、送液機構を用いて力を加えたときに変形可能な硬さであり、力を加えてないときに、もとの形状に戻る弾力性のあるものであればよい。また、目的である成分を吸着しにくい材質を選択することが望ましい。
【００４４】
図４（Ｂ）に示すように、分析装置１００の試料採取容器フォルダー１０３に試料採取容器１を据え付けたときの部材５の上流または下流にある配管３１が、装置側の送液機構１０２と接触している状態である。このとき、装置側の送液機構１０２は回転していないため、流れのない状態である。
【００４５】
図４（Ｃ）に示すように、装置側の送液機構１０２の回転により、部材５の上流または下流にある配管３１中の液体は送液される。
【実施例５】
【００４６】
図５に、本発明による試料採取容器がフォルダー１０３に備え付けられ、分析装置と結合されて一体化した時の構成例を示す全体概略図を示す。図５の例では、試料の入った試料採取容器１は、逆さまにして試料採取容器フォルダー１０３に据え付けられ、分析装置の蓋１０６が閉められている。
【００４７】
詳細な構成を図６で示す。図６は、試料採取容器と分析装置が一体化した時の構成例の断面図を示す。容器外側導入口８は、加圧ガス部１０５と接続される配管ＩＮ１０６と接続している。容器外側排出口９は、検出部１０４と接続される配管ＯＵＴ１０７と接続している。フォルダー１０３内は、試料採取容器の設置において、このような接続を使用者が簡便にできるように、例えば、試料採取容器の蓋２の決まった位置にピンのような出っ張りをつけ、フォルダー１０３に受け手となる穴を設ける。ピンと受けてとなる穴の位置が最初に決まることにより、その他の位置も容易に決まる仕掛けを設けておいてもよい。
【００４８】
内側バルブＩＮ１０、外側バルブＩＮ１１、外側バルブＯＵＴ１２、内側バルブＯＵＴ１３は、装置側のバルブ開閉機構３４それぞれと結合する。結合の機構としては、図３（Ｂ）に示すようにつめ等の引っかかりを用いた構造等を用いることができる。さらに、配管３１は装置側の送液機構３５と接触させるようにする。また、部材５は装置側のヒーター１０８と接触するようにして、熱による脱離等をさせるようにしてもよい。部材５に対する温度制御としては、部材の材質等によるが、８０度から６００度程度が考えられる。試料採取容器１を加温または冷却してから計測する必要がある場合は、試料採取容器フォルダー１０３に加温または冷却機能をつけ、例えば１００度まで加温または―３０度まで冷却してもよい。試料を一定の温度にすることにより、温度の影響による測定値のばらつきを最小限にできる。また、温度を上げることにより、内部標準物質、酸性物質、アルカリ性物質の溶解性を増したり、攪拌が促進される効果があり、さらには、揮発性の成分が揮発しやすくなる効果がある。温度を下げることにより、測定対象とする成分の分解または修飾を最小限にできる。加温または冷却する場合には、試料が設定した温度に達し、定常状態になったあとに以下の動作シーケンスを行うものとするが、試料によっては試料温度を上昇もしくは下降させながら動作シーケンスを行ってもよい。
【００４９】
次に、図５で示した試料採取容器１を装置側に取り付けた状態における、分析の際の動作シーケンスの一例を述べる。動作シーケンスを大きく分類すると、試料から目的とする成分を部材で抽出するステップ、部材を洗浄するステップ、部材から目的とする成分を脱離するステップからなる。ここでは、成分を部材で抽出するステップと、部材から目的とする成分を脱離するステップとの間に、部材を洗浄するステップがある場合を説明する。これらの制御は、バルブ開閉制御部により行われる。以下に詳細を示す。
【００５０】
１．抽出ステップ
（１）初期状態は、開閉機構３４に結合された内側バルブＩＮ１０、外側バルブＩＮ１１、外側バルブＯＵＴ１２、内側バルブＯＵＴ１３は閉まっており、装置側の送液機構３５、装置側のヒーター１０８は停止している。
（２）内側バルブＩＮ１０、内側バルブＯＵＴ１３を開く。尚、初期状態として内側バルブＩＮ１０、内側バルブＯＵＴ１３を開いておいてもよい。
（３）装置側の送液機構３５を動かすと、容器内側導入口６から、試料４が導入され、配管３１を通り、部材５の中を試料４が通液し、容器内側排出口７から排出される。装置側の送液機構３５の位置は、試料が導入口６から排出口７方向に流れればよく、部材５より上流側でもよいし、下流側でもよく、部材５と同じ場所でもよい。
（４）任意の時間、例えば３分間、送液側の送液機構３５を動かす。
（５）装置側の送液機構３５を止める。
（６）内側バルブＩＮ１０を閉める。
【００５１】
２．洗浄ステップ
（１）外側バルブＩＮ１１を開く。
（２）加圧ガス部１０５から加圧用のガスを出す。加圧ガスは、加圧ガス部１０５と接続された配管ＩＮ１０６を通り、配管ＩＮ１０６と接続された容器外側導入口８から導入され、配管３１を通り、そして配管内部に設けられた部材５を通り、容器内側排出口７から排出される。このとき、配管に溜まった試料を容器内側排出口７から排出する。このとき、加圧ガスでなく、例えば、洗浄を目的とした溶液流してもよい。溶液とは、水やメタノール、エタノール、アセトニトリル、ジクロロメタン、ヘキサン、トリエチルアミンなどの有機溶媒であり、もしくは、それらを混合したものである。溶液を導入する場合には、装置側の送液機構３５を動かして送液する。また、溶液タンク１１２などを設けておき、外部導入口である容器外側導入口８に接続できるようにしておくか、又はガス導入とは別の導入口を設けておいてもよい。
（３）任意のガス量、例えば、加圧ガスが通る配管の体積と同じ量のガスを出したら加圧ガスを止める。大量の加圧ガスを流す場合は、容器３の底にフィルタをつけたリーク弁をつけてもよい。容器３の底にフィルタのついたリーク弁を設けることにより、大量の加圧ガスが導入されても、配管または容器には一定以上の圧力がかからないため、破裂または液漏れを防止できる効果がある。
（４）外側バルブＩＮ１１、内側バルブＯＵＴ１３を閉める。
【００５２】
３．脱離ステップ
（１）温度調節が可能な装置側のヒーター１０８で部材５を加熱し、目的とする成分を脱離させる。例えば、加熱温度、加熱時間は、３００℃、１分とする。脱離したい成分の特性に合わせて、加熱温度、加熱時間を選択するとよい。加熱温度が高いほうが、目的とする成分が脱離しやすくなる。一方で、同時に目的としない成分も脱離しやすくなってしまう、目的とする成分が熱分解しやすくなる、ヒーターの消費電力が大きくなるなどの問題が生じる場合があるので目的に応じて加熱温度を調節するとよい。また、夾雑物の影響を避けるために温度勾配を作って加熱し、目的とする成分と夾雑物の脱離時間とをずらしてもよい。
（２）外側バルブＯＵＴ１２を開き、脱離した成分を検出器１０４に導入する。このとき、外側バルブＩＮ１１は開かなくてもよいが、外側バルブＩＮ１１を開き、加圧ガスを導入して、脱離した成分を検出器１０４に押し出してもよい。加圧ガスの代わりに圧縮していない大気圧の空気を用いてもよい。また、脱離した成分が途中の配管に吸着しないように、装置側のヒーター１０８を用いて容器外側排出口９、配管ＯＵＴ１０７、配管３１も加熱できるようにしてもよい。
【００５３】
４．分析ステップ
検出器１０４に導入され、分析された成分について、測定部１１１におけるデータと照合し、定量値等の測定結果を出力する。
【実施例６】
【００５４】
図７に、容器底面に部材５がある試料採取容器１と、分析装置が一体化した時の構成例を示す。試料の入った試料採取容器１は、逆さまにはせず、試料採取容器フォルダー１０３に入れられ、分析装置の蓋１０６が閉められる。その後の動作シーケンスは実施例５と同様にすればよい。尚、大量の加圧ガスを流す場合は、蓋２にフィルタの付いたリーク弁をつけてもよい。蓋２にフィルタのついたリーク弁を設けることにより、大量の加圧ガスが導入されても、配管または容器には一定以上の圧力がかからないため、破裂または液漏れを防止できる効果がある。
【実施例７】
【００５５】
図８に、容器側面に部材５がある試料採取容器１と、分析装置が一体化した時の構成例を示す。試料の入った試料採取容器１は、逆さまにせず、試料採取容器フォルダー１０３に入れられ、分析装置の蓋１０６が閉められる。動作シーケンスは実施例５と同様にすればよい。尚、大量の加圧ガスを流す場合は、実施例６と同じく蓋２にフィルタの付いたリーク弁をつけてもよい。
【実施例８】
【００５６】
図９に、部材５を備えた配管にプラズマ発生領域を有する導入管４０を組み込んだ試料採取容器１と、分析装置とが一体化した時の構成例を示す。ここでは、試料採取容器１として、プラズマ発生領域を有する導入管４０を組み込んだものを用いる。導入管４０は最初から組み込まれた試料採取容器を用いてもよいし、後から取り付けるようになっているものでもよい。
【００５７】
ここでは、導入管４０は部材５の上流に位置している例を示す。導入管４０の両端には電極４２があり、分析装置１００と一体化したときに、装置側にある交流電源４１と接続するようになっている。このときの検出器１０４は真空引き機能を有する質量分析装置であるとよく、プラズマ発生領域でイオン化した成分が検出器に導入されるため、さらなるイオン化機構は必要ない。検出器１０４とプラズマ発生領域４３の間は、遮るものがないほど透過するイオンの量が増えるため、途中の配管が真っ直ぐであることが望ましい。その他の構成は実施例５と同様のため説明を省略する。導入管４０は、誘電体として、ガラスや樹脂などでできた管を用いる。その他の構成については実施例５と同じである。また、導入管４０の位置は、部材５より上流側でもよいし、下流側でもよく、部材５と同じ場所でもよい。電極４２の位置は、電極間にプラズマが発生する構成であればよく、導入管４０の内側にあってもよい。
【００５８】
次に、図９で示した状態における、分析の際の動作シーケンスの一例を述べる。動作シーケンスを大きく分類すると、試料から目的とする成分を部材で抽出するステップ、部材を洗浄するステップ、部材から目的とする成分を脱離し、プラズマを用いてイオン化するステップからなり、列挙した順番で実施される。以下に詳細を示す。
【００５９】
１．抽出ステップ
実施例５と同様の方法を用いればよい。
【００６０】
２．洗浄ステップ
実施例５と同様の方法を用いればよい。
【００６１】
３．脱離ステップ
（１）外側バルブＩＮ１１を開き、加圧された空気、窒素、ヘリウム、ネオン等のガスもしくは大気圧の空気を配管３１に導入し、外側バルブＯＵＴ１２を開き、真空引き機能を有する検出器１０４を用いて配管３１内の真空引きを行う。この時、例えば、１００−１０，０００［Ｐａ］の圧力になるよう調整する。外側のバルブＩＮ１１の開閉量で真空度を調整してもよい。
（２）装置側にある交流電源の電源を入れ、電極間にプラズマ４３を発生させ、誘電体バリアー放電を起こす。プラズマには励起分子あるいはイオンが含まれる。
（３）装置側のヒーター１０８で部材５を加熱し、目的とする成分を脱離させる。
（４）加熱温度、加熱時間は例えば３００℃、１分である。脱離したい成分の特性に合わせて、加熱温度、加熱時間を選択するとよい。成分の特性によっては、温度勾配を作って加熱してもよい。
（５）ガス化した試料は、励起分子あるいはイオンと接触しイオン化する。イオン化した試料は検出器１０４によって検出される。ここでは、イオン化した試料を検出器１０４に連続的に導入する実施例を示しているが、イオン検出の間だけ外側バルブＯＵＴ１２を開閉することにより、間欠的にイオンを検出器に導入してもよい。間欠的に導入することにより、検出器１０４にある真空ポンプの負荷が減るため、高性能な真空ポンプを用いなくても目的とする真空度に達せさせることができる。また、脱離した成分が途中の配管に吸着しないように、装置側のヒーター１０８を用いて容器外側排出口９、配管ＯＵＴ１０７、導入管４０、配管３１も加熱できるようにしてもよい。
【００６２】
４．分析ステップ
検出器１０４に導入され、分析された成分について、測定部１１１におけるデータと照合し、定量値等の測定結果を出力する。
【実施例９】
【００６３】
実施例６もしくは実施例７に記載の構成に、実施例８に記載の導入管４０、装置側にある交流電極４１、電極４２、プラズマ４３を加え、実施例８に記載の動作シークエンス例を用いて、目的とする成分をプラズマでイオン化し、検出することもできる。
【実施例１０】
【００６４】
図１０に、プラズマ発生領域を有する導入管４０が配管３１に直交した構成を示す。動作シーケンスは実施例８と同様にすればよい。ここでは、導入管４０は部材の上流に位置した例を示したが、下流側でもよく、部材５と同じ場所でもよい。
【実施例１１】
【００６５】
実施例６もしくは実施例７に記載の構成に、実施例１０に記載の導入管４０、装置側にある交流電極４１、電極４２、プラズマ４３を加え、実施例１０に記載の動作シークエンス例を用いて、目的とする成分をプラズマでイオン化し、検出することもできる。
【実施例１２】
【００６６】
試料に濃度のわかった内部標準物質を加えて、濃度補正に用いると、目的とする成分の濃度をより正確に求めることが出来る。実施例５〜１１いずれかに記載の構成において、容器３の中に事前に内部標準物質を同封しておけばよい。内部標準物質は目的とする成分と化学的性質の近い物質、あるいは、一部を安定同位体で置換した物質などを例示できる。
【実施例１３】
【００６７】
実施例５〜１１いずれかに記載の構成において、配管３１の中に事前に内部標準物質を同封しておいてもよい。
【実施例１４】
【００６８】
試料のｐＨを調整することにより、部材５と測定対象とする成分の親和性が高まり、抽出効率が向上する場合がある。実施例５〜１１のいずれかに記載の構成において、容器３の中に事前にアルカリ性物質または酸性物質を同封しておけばよい。アルカリ性物質は炭酸カリウム、炭酸ナトリウム、水酸化ナトリウム、水酸化カリウム、重炭酸アンモニウム、トリエチルアミン、アンモニア水などを例示でき、酸性物質は蟻酸、酢酸、塩酸、トリフルオロ酢酸、硝酸などを例示できる。
【実施例１５】
【００６９】
実施例５〜１１いずれかに記載の構成において、配管３１の中に事前にアルカリ性物質または酸性物質を同封しておけばよい。アルカリ性物質は炭酸カリウム、炭酸ナトリウム、水酸化ナトリウム、水酸化カリウム、重炭酸アンモニウム、トリエチルアミン、アンモニア水などを例示でき、酸性物質は蟻酸、酢酸、塩酸、トリフルオロ酢酸、硝酸などを例示できる。
【実施例１６】
【００７０】
図１１に試料採取容器１と分析装置に、上記の実施例からさらにバルブを追加したときの構成例を示す。ここで示す追加のバルブは内部標準用バルブ５０である。この内部標準物質用バルブ５０は、容器内側排出口７と内側バルブＯＵＴ１３の間に位置する。そして、内部標準物質５２は内部標準物質用バルブ５０と内側バルブＯＵＴ１３の間に位置する。内部標準物質用バルブ５０は、内側バルブＯＵＴ１３などと同じ原理で開閉するバルブとすればよく、内部標準物質用バルブ５０を開閉する機構として、装置側のバルブ開閉機構５１を示す。装置側のバルブ開閉機構５１は、装置側のバルブ開閉機構３４と同じ原理のものを用いればよい。その他の構成については実施例８と同じである。内部標準物質５２の位置は、使用者による内部標準物質の意図的な廃棄などを防ぐために、試料採取容器１が分析装置に設置して初めて取り出せる位置にあり、導入管４０と部材５に接触しない位置であることが望ましく、内部標準用バルブ５０を、容器内側導入口６と内側バルブＩＮ１０の間に設けてもよく、その場合の内部標準物質５２は内部標準用バルブ５０と内側バルブＩＮ１０の間に位置する。尚、内部標準物質５２の位置に、アルカリ性物質または酸性物質を置いてもよい。
【００７１】
次に、図１１で示した状態における、分析の際の動作シーケンスの一例を述べる。動作シーケンスを大きく分類すると、試料から目的とする成分を部材で抽出しながら、内部標準物質を攪拌するステップ、部材を洗浄するステップ、部材から目的とする成分を脱離し、プラズマを用いてイオン化するステップからなり、以下に詳細を示す。
【００７２】
１．抽出ステップ
（１）初期状態は、内側バルブＩＮ１０、外側バルブＩＮ１１、外側バルブＯＵＴ１２、内側バルブＯＵＴ１３、内部標準物質用バルブ５０は閉まっており、装置側の送液機構３５、装置側のヒーター１０８、装置側にある交流電源４１は停止している。
（２）内側バルブＩＮ１０、内側バルブＯＵＴ１３、内部標準物質用バルブ５０を開く。
（３）装置側の送液機構３５を動かすと、容器内側導入口６から、試料４が導入され、配管３１を通り、配管３１内の部材５の中を試料４が通液し、容器内側排出口７から排出される。装置側の送液機構３５の位置は、部材５より上流側でもよいし、下流側でもよく、部材５と同じ場所でもよい。
（４）任意の時間、例えば３分間、送液側の送液機構３５を動かす。
（５）装置側の送液機構３５を止める。
（６）内側バルブＩＮ１０を閉める。
【００７３】
２．洗浄ステップ
（１）外側バルブＩＮ１１を開く。
（２）加圧ガス部１０５から加圧用のガスを出す。加圧ガスは、配管ＩＮ１０６を通り、容器外側導入口８から導入され、配管３１を通り、部材５を通り、容器内側排出口７から排出される。このとき、配管に溜まった試料を容器内側排出口７から排出する。このとき、加圧ガスでなく、例えば溶液を流して配管を洗浄してもよい。溶液とは、水やメタノール、エタノール、アセトニトリル、ジクロロメタン、ヘキサン、トリエチルアミンなどの有機溶媒であり、もしくは、それらを混合したものである。溶液を導入する場合には、装置側の送液機構３５を動かして送液する。また、溶液タンク１１２などを設けておき、外部導入口である容器外側導入口８に接続できるようにしておくか、又はガス導入とは別の導入口を設けておいてもよい。
（３）任意のガス量、例えば、加圧ガスが通る配管の体積と同じ量のガスを出したら加圧ガスの導入を止める。大量の加圧ガスを流す場合は、容器３にフィルタをつけたリーク弁をつけてもよい。
（４）外側バルブＩＮ１１、内側バルブＯＵＴ１３、内部標準物質用バルブ５０を閉める。
【００７４】
３．脱離ステップ
実施例８と同じである。
【００７５】
４．分析ステップ
検出器１０４に導入され、分析された成分について、測定部１１１におけるデータと照合し、定量値等の測定結果を出力する。このとき、容器内に排出された内部標準物質５２を用いて、目的とする成分の濃度補正を行うと、より正確な濃度を求めることができる。
【実施例１７】
【００７６】
実施例８〜１５いずれかに記載の構成において、実施例１６に記載の内部標準物質用バルブ５０を加え、実施例１６に記載の動作シークエンス例を用いて、目的とする成分をプラズマでイオン化し、検出することもできる。
【実施例１８】
【００７７】
図１２に実施例１４の構成を用い、蓋２を上部にして利用する構成例を示す。試料の入った試料採取容器１は、逆さまにせず、試料採取容器フォルダー１０３に入れられ、分析装置の蓋１０６が閉められる。図１２では容器内側排出口７が試料４に浸かってない図を用いて例示したが、試料４に浸かっていてもよい。容器内側導入口６と排出口７が試料４に浸かってない場合には、試料の揮発成分を利用する。
【００７８】
次に図１１で示した状態における、分析の際の動作シーケンスの一例を述べる。動作シーケンスを大きく分類すると、揮発した試料から目的とする成分を部材で抽出しながら、内部標準物質を攪拌するステップ、部材を洗浄するステップ、部材から目的とする成分を脱離し、プラズマを用いてイオン化するステップからなり、列挙した順番で実施される。以下に詳細を示す。
【００７９】
１．抽出ステップ
（１）初期状態は、内側バルブＩＮ１０、外側バルブＩＮ１１、外側バルブＯＵＴ１２、内側バルブＯＵＴ１３、内部標準物質用バルブ５０は閉まっており、装置側の送液機構３５、装置側のヒーター１０８、装置側になる交流電源４１は停止している。
（２）内側バルブＩＮ１０、内側バルブＯＵＴ１３、内部標準物質用バルブ５０を開く。
装置側の送液機構３５を動かすと、容器内側導入口６から、揮発した試料が導入され、配管３１を通り、部材５の中を揮発した試料が通過し、容器内側排出口７から排出される。（３）このとき、内部標準物質５２も排出される。装置側の送液機構３５の位置は、部材５より上流側でもよいし、下流側でもよく、部材５と同じ場所でもよい。
【００８０】
試料の揮発成分を使うため、溶液の場合よりは洗浄ステップの必要性は低い。
（４）任意の時間、例えば３分間、送液側の送液機構３５を動かす。
（５）装置側の送液機構３５を止める。
（６）内側バルブＩＮ１０を閉める。
【００８１】
２．洗浄ステップ
試料の揮発成分を使うため、溶液の場合よりは洗浄ステップの必要性は低い。
（１）外側バルブＩＮ１１、を開く。
（２）加圧ガスを出す。加圧ガスは、配管ＩＮ１０６を通り、容器外側導入口８から導入され、配管３１を通り、配管３１に設けられた部材５を通り、容器内側排出口７から排出される。このとき、配管に溜まった成分を容器内側排出口７から排出する。このとき、加圧ガスでなく、例えば、洗浄目的とした溶液を流してもよい。溶液とは、水やメタノール、エタノール、アセトニトリル、ジクロロメタン、ヘキサン、トリエチルアミンなどの有機溶媒であり、もしくは、それらを混合したものである。溶液を導入する場合には、装置側の送液機構３５を動かして送液する。また、溶液タンク１１２などを設けておき、外部導入口である容器外側導入口８に接続できるようにしておくか、又はガス導入とは別の導入口を設けておいてもよい。
（３）任意のガス量、例えば、加圧ガスが通る配管の体積と同じ量のガスを出したら加圧ガスを止める。大量の加圧ガスを流す場合は、容器３にフィルタをつけたリーク弁をつけてもよい。
（４）外側バルブＩＮ１１、内側バルブＯＵＴ１３、内部標準物質用バルブ５０を閉める。
【００８２】
３．脱離ステップ
実施例８と同様のステップとすればよい。
【００８３】
尚、実施例８〜１８では、導入管４０を用いたプラズマ発生を利用する場合を図示しているが、導入管４０を用いない構成でもよい。
【００８４】
４．分析ステップ
検出器１０４に導入され、測定された成分について、測定部１１１におけるデータと照合し、定量値等の測定結果を出力する。このとき、容器内に排出された内部標準物質５２を用いて、目的とする成分の濃度補正を行うと、より正確な濃度を求めることができる。
【実施例１９】
【００８５】
実施例５に記載の構成から、加圧ガス部１０５を溶液タンク１１２に変更し、配管ＯＵＴ１０７と検出器１０４の間にイオン源１１３を設けた構成を図１３に示す。この構成により、測定対象とする成分は部材５から溶液を用いて脱離され、検出の直前にイオン化される。
【００８６】
次に、図１３で示した状態における、分析の際の動作シーケンスの一例を述べる。動作シーケンスを大きく分類すると、試料から目的とする成分を部材で抽出するステップ、部材を洗浄するステップ、部材から目的とする成分を脱離し、エレクトロスプレーイオン化法を用いてイオン化するステップからなり、列挙した順番で実施される。以下に詳細を示す。
【００８７】
１．抽出ステップ
実施例５と同様の方法を用いればよい。
【００８８】
２．洗浄ステップ
（１）外側バルブＩＮ１１を開く。
（２）溶液タンク１１２から溶液を出す。溶液とは、水やメタノール、エタノール、アセトニトリル、ジクロロメタン、ヘキサン、トリエチルアミンなどの有機溶媒であり、もしくは、それらを混合したものである。溶液は、溶液タンク１１２と接続された配管ＩＮ１０６を通り、配管ＩＮ１０６と接続された容器外側導入口８から導入され、装置側の送液機構３５によって送液され、配管３１を通り、そして配管内部に設けられた部材５を通り、容器内側排出口７から排出される。このとき、配管に溜まった試料を容器内側排出口７から排出する。このとき、溶液でなく、例えば、洗浄を目的とした加圧ガスを流してもよい。
（３）任意の溶液量、例えば、溶液が通る配管の体積と同じ量の溶液を流したら溶液を止める。大量の溶液を流す場合は、容器３の底にフィルタをつけたリーク弁をつけてもよい。容器３の底にフィルタのついたリーク弁を設けることにより、大量の溶液が導入されても、配管または容器には一定以上の圧力がかからないため、破裂または液漏れを防止できる効果がある。
（４）内側バルブＯＵＴ１３を閉める。
【００８９】
３．脱離およびイオン化のステップ
（１）外側バルブＯＵＴ１２を開ける。
（２）装置側の送液機構３５を動かすと、容器外側導入口８から、溶液が導入され、配管３１を通り、配管３１内の部材５の中を溶液が通液し、脱離した成分が溶けた溶液が、容器外側排出口９を通り、配管ＯＵＴ１０７から排出される。溶液とは、水やメタノール、エタノール、アセトニトリル、ジクロロメタン、ヘキサン、トリエチルアミンなどの有機溶媒であり、もしくは、それらを混合したものである。
（３）配管ＯＵＴ１０７から排出された溶液は、イオン源１１３でイオン化される。イオン化は、エレクトロスプレーイオン化法、大気圧化学イオン化法をなど用いてなされる。
（４）検出器１０４で検出される。ここで用いた検出器はイオン化機構を除いた質量分析装置である。
（５）任意の時間、例えば３分間、送液側の送液機構３５を動かす。
（６）装置側の送液機構３５を止める。
（７）外側バルブＩＮ１１、外側バルブＯＵＴ１２を閉める。
【００９０】
４．分析ステップ
検出器１０４に導入され、分析された成分について、測定部１１１におけるデータと照合し、定量値等の測定結果を出力する。
【実施例２０】
【００９１】
実施例６もしくは実施例７に記載の構成に、実施例１９に記載の溶液タンク１１２、イオン源１１３を加え、実施例１９に記載の動作シーケンスを用いて、目的とする成分をイオン化し、検出することもできる。
【符号の説明】
【００９２】
１・・・試料採取容器、２・・・蓋、３・・・容器、４・・・試料、５・・・部材、６・・・容器内側の導入口、７・・・容器内側の排出口、８・・・容器外側の導入口、９・・・容器外側の排出口、１０・・・内側バルブＩＮ、１１・・・外側バルブＩＮ、１２・・・外側バルブＯＵＴ、１３・・・内側バルブＯＵＴ、２０・・・内側容器、２１・・・容器入口、２２・・・穴Ａ、２３・・・穴Ｂ、２４・・・採取した尿、２５・・・蓋、２６・・・外側容器、３０・・・容器側のバルブ付流路、３１・・・配管、３２・・・ばね、３３・・・弁、３４・・・装置側のバルブ開閉機構、４０・・・導入管、４１・・・装置側にある交流電源、４２・・・電極、４３・・・プラズマ、５０・・・内部標準物質用バルブ、５１・・・装置側のバルブ開閉機構、５２・・・内部標準物質、１００・・・分析装置、１０１・・・装置側のバルブ開閉機構（四ヶ所）、１０２・・・装置側の送液機構、１０３・・・試料採取容器フォルダー、１０４・・・検出器、１０５・・・加圧ガス部、１０６・・・配管ＩＮ、１０７・・・配管ＯＵＴ、１０８・・・装置側のヒーター、１０９・・・分析装置の蓋、１１０・・・分析装置の制御部、１１１・・・測定部、１１２・・・溶液タンク、１１３・・・イオン源
【図４】
2012184976.tif 000003
【図１】
2012184976.tif 000004
【図２】
2012184976.tif 000005
【図３】
2012184976.tif 000006
【図５】
2012184976.tif 000007
【図６】
2012184976.tif 000008
【図７】
2012184976.tif 000009
【図８】
2012184976.tif 000010
【図９】
2012184976.tif 000011
【図１０】
2012184976.tif 000012
【図１１】
2012184976.tif 000013
【図１２】
2012184976.tif 000014
【図１３】
2012184976.tif 000015